(57)【要約】【課題】部材の固着が生じてもファンの着脱が容易な取付アダプタおよびレンジフードを提供する。【解決手段】ナット部材１ｇは、第１傾斜姿勢と第２傾斜姿勢との間で回転可能で、第１傾斜姿勢において回転軸６ｂの雄ネジ部６ｄと噛み合う雌ネジ部（ネジ穴ＲＡ）と、第２傾斜姿勢において雄ネジ部６ｄと雌ネジ部との噛み合いが解除されるように回転軸６ｂを挿通する穴部ＲＢとを有している。レバー部材１ａは、第１傾斜姿勢と第２傾斜姿勢との間でナット部材１ｇの姿勢を操作する。付勢部材１ｂは、ナット部材１ｂが第２傾斜姿勢となるようにレバー部材１ａを付勢している。【選択図】図５
2020105934.tif 000002
【特許請求の範囲】
【請求項１】
雄ネジ部を含む回転軸を有する駆動源の前記回転軸にファン部材を固定する取付アダプタであって、
第１傾斜姿勢と第２傾斜姿勢との間で回転可能で、前記第１傾斜姿勢において前記雄ネジ部と噛み合う雌ネジ部と、前記第２傾斜姿勢において前記雄ネジ部と前記雌ネジ部との噛み合いが解除されるように前記回転軸を挿通する穴部とを有するナット部材と、
前記第１傾斜姿勢と前記第２傾斜姿勢との間で前記ナット部材の姿勢を操作するレバー部材と、
前記ナット部材が前記第２傾斜姿勢となるように前記レバー部材を付勢する付勢部材とを備えた、取付アダプタ。
【請求項２】
前記ナット部材は、前記雌ネジ部が形成されたネジ穴を有し、
前記ネジ穴と前記穴部とは互いに連通しており、
前記ネジ穴が延びる方向と前記穴部が延びる方向とが互いに傾斜している、請求項１に記載の取付アダプタ。
【請求項３】
前記ナット部材は、前記回転軸の軸方向に直交する直交方向を中心に回転することにより前記第１傾斜姿勢と前記第２傾斜姿勢との間で回転し、
前記ナット部材は、突起部を有し、
前記レバー部材は、前記突起部を移動させることにより前記ナット部材を前記直交方向を中心に回転させる、請求項１または請求項２に記載の取付アダプタ。
【請求項４】
前記レバー部材は、係合凸部を有し、
前記係合凸部は、前記ナット部材が前記第１傾斜姿勢から前記第２傾斜姿勢に移行する際に、前記ナット部材が前記直交方向を中心に回転するための回転力を前記ナット部材に付与するように構成されている、請求項３に記載の取付アダプタ。
【請求項５】
前記ナット部材が前記第２傾斜姿勢を維持するように前記レバー部材をロックする作動部材をさらに備えた、請求項１から請求項４のいずれか１項に記載の取付アダプタ。
【請求項６】
前記作動部材は、前記レバー部材に引っ掛ける爪部を有し、
前記爪部が前記レバー部材に引っ掛けられることにより、前記ナット部材が前記第２傾斜姿勢を維持するように前記作動部材が前記レバー部材をロックする、請求項５に記載の取付アダプタ。
【請求項７】
雄ネジ部を含む回転軸を有する駆動源と、
ファン部材と、
前記ファン部材を前記駆動源の前記回転軸に固定する取付アダプタとを備え、
前記取付アダプタは、
第１傾斜姿勢と第２傾斜姿勢との間で回転可能で、前記第１傾斜姿勢において前記雄ネジ部と噛み合う雌ネジ部と、前記第２傾斜姿勢において前記雄ネジ部と前記雌ネジ部との噛み合いが解除されるように前記回転軸を挿通する穴部とを有するナット部材と、
前記第１傾斜姿勢と前記第２傾斜姿勢との間で前記ナット部材の姿勢を操作するレバー部材と、
前記ナット部材が前記第２傾斜姿勢となるように前記レバー部材を付勢する付勢部材とを有する、レンジフード。
【発明の詳細な説明】
【技術分野】
【０００１】
本発明は、取付アダプタおよびレンジフードに関するものである。
【背景技術】
【０００２】
レンジフードにおけるファンの取り付け構造に関し、従来、ファンをワンタッチ操作で着脱可能なレンジフードが特開２０１８−７１８６９号公報（特許文献１）に開示されている。
【０００３】
特許文献１に記載のワンタッチ取り外し操作においては、まずファンボスの外周部に備えられた解除ノブがボス中心側に押し込み操作される。これにより、内蔵されているロック爪が係合付勢力に抗して係合解除方向に強制後退される。この状態で排気用ファンが下方に引き下げられることにより回転軸から引き抜かれて、レンジフードから取り外される。
【先行技術文献】
【特許文献】
【０００４】
【特許文献１】特開２０１８−７１８６９号公報
【発明の概要】
【発明が解決しようとする課題】
【０００５】
しかしながら特許文献１に記載のレンジフードでは、ワンタッチ着脱機構を構成する部材同士が油汚れ、錆などで固着することが考えられる。この場合、ワンタッチ着脱機構が正しく動作せず、排気用ファンが外せなくなるおそれがある。
【０００６】
本発明は、上記の課題に鑑みてなされたものであり、その目的は、部材の固着が生じてもファンの着脱が容易な取付アダプタおよびレンジフードを提供することである。
【課題を解決するための手段】
【０００７】
本発明の取付アダプタは、雄ネジ部を含む回転軸を有する駆動源の回転軸にファン部材を固定する取付アダプタであって、ナット部材と、レバー部材と、付勢部材とを備えている。ナット部材は、第１傾斜姿勢と第２傾斜姿勢との間で回転可能で、第１傾斜姿勢において雄ネジ部と噛み合う雌ネジ部と、第２傾斜姿勢において雄ネジ部と雌ネジ部との噛み合いが解除されるように回転軸を挿通する穴部とを有している。レバー部材は、第１傾斜姿勢と第２傾斜姿勢との間でナット部材の姿勢を操作する。付勢部材は、ナット部材が第２傾斜姿勢となるようにレバー部材を付勢している。
【０００８】
本発明の取付アダプタによれば、ナット部材は、第１傾斜姿勢と第２傾斜姿勢との間で回転可能で、第１傾斜姿勢において雄ネジ部と噛み合う雌ネジ部と、第２傾斜姿勢において雄ネジ部と雌ネジ部との噛み合いが解除されるように回転軸を挿通する穴部とを有している。このためレバー部材でナット部材の姿勢を第１傾斜姿勢に操作することにより、取付アダプタを回転軸の雄ネジ部に螺合により着脱することが可能となる。またレバー部材でナット部材の姿勢を第２傾斜姿勢に操作することにより、回転軸の雄ネジ部とナット部材の雌ネジ部との係合を解除した状態で取付アダプタを回転軸に着脱することが可能となる。このためレバー部材が油汚れ、錆などにより他の部材と固着した場合でも、レバー部材を操作せずに、取付アダプタを螺合により回転軸に対して着脱することができる。よって油汚れ、錆などによる固着が生じてもファンの着脱が容易である。
【０００９】
上記取付アダプタにおいて、ナット部材は、雌ネジ部が形成されたネジ穴を有している。ネジ穴と穴部とは互いに連通している。ネジ穴が延びる方向と穴部の延びる方向とが互いに傾斜している。
【００１０】
これによりナット部材を回転させることにより、回転軸の雄ネジ部を第１傾斜姿勢においてはネジ穴に挿通し、かつ第２傾斜姿勢においては穴部に挿通することが可能となる。
【００１１】
上記取付アダプタにおいて、ナット部材は、回転軸の軸方向に直交する直交方向を中心に回転することにより第１傾斜姿勢と第２傾斜姿勢との間で回転する。ナット部材は、突起部を有している。レバー部材は、突起部を移動させることによりナット部材を直交方向を中心に回転させる。
【００１２】
このように突起部をレバー部材で移動させることでナット部材の上記直交方向を中心とした回転操作が容易となる。
【００１３】
上記取付アダプタにおいて、レバー部材は、係合凸部を有している。係合凸部は、ナット部材が第１傾斜姿勢から第２傾斜姿勢に移行する際に、ナット部材が直交方向を中心に回転するための回転力をナット部材に付与するように構成されている。
【００１４】
これにより、ナット部材を第１傾斜姿勢から第２傾斜姿勢へ移行させるための操作力を効果的にナット部材に伝えることができる。
【００１５】
上記取付アダプタは、ナット部材が第２傾斜姿勢となるようにレバー部材をロックする作動部材をさらに備えている。
【００１６】
これによりナット部材を第２傾斜姿勢で保持することができる。よってナット部材が第２傾斜姿勢にある状態で回転軸を穴部に挿入する作業が容易となる。
【００１７】
上記取付アダプタにおいて、作動部材は、レバー部材に引っ掛ける爪部を有している。爪部がレバー部材に引っ掛けられることにより、ナット部材が第２傾斜姿勢を維持するように作動部材がレバー部材をロックする。
【００１８】
これにより、作動部材の爪部をレバー部材に引っ掛けるという簡易な構成で、ナット部材を第２傾斜姿勢のまま維持することが可能となる。
【００１９】
本発明のレンジフードは、雄ネジ部を含む回転軸を有する駆動源と、ファン部材と、ファン部材を駆動源の回転軸に固定する取付アダプタとを備えている。取付アダプタは、ナット部材と、レバー部材と、付勢部材とを有している。ナット部材は、第１傾斜姿勢と第２傾斜姿勢との間で回転可能で、第１傾斜姿勢において雄ネジ部と噛み合う雌ネジ部と、第２傾斜姿勢において雄ネジ部と雌ネジ部との噛み合いが解除されるように回転軸を挿通する穴部とを有している。レバー部材は、第１傾斜姿勢と第２傾斜姿勢との間でナット部材の姿勢を操作する。付勢部材は、ナット部材が第２傾斜姿勢となるようにレバー部材を付勢している。
【００２０】
本発明のレンジフードによれば、ナット部材は、第１傾斜姿勢と第２傾斜姿勢との間で回転可能で、第１傾斜姿勢において雄ネジ部と噛み合う雌ネジ部と、第２傾斜姿勢において雄ネジ部と雌ネジ部との噛み合いが解除されるように回転軸を挿通する穴部とを有している。このためレバー部材でナット部材の姿勢を第１傾斜姿勢に操作することにより、取付アダプタを回転軸の雄ネジ部に螺合により着脱することが可能となる。またレバー部材でナット部材の姿勢を第２傾斜姿勢に操作することにより、回転軸の雄ネジ部とナット部材の雌ネジ部との係合を解除した状態で取付アダプタを回転軸に着脱することが可能となる。このためレバー部材が油汚れ、錆などにより他の部材と固着した場合でも、レバー部材を操作せずに、取付アダプタを螺合により回転軸に対して着脱することができる。よって油汚れ、錆などによる固着が生じてもファンの着脱が容易である。
【発明の効果】
【００２１】
以上説明したように本発明によれば、部材の固着が生じてもファンの着脱が容易な取付アダプタおよびレンジフードを実現することができる。
【図面の簡単な説明】
【００２２】
【図１】本発明の一実施の形態におけるレンジフードの構成を示す斜視図である。
【図２】図１のレンジフードの構成を示す断面図である。
【図３】図１のレンジフードにおけるスピンナー付近の構成を示す斜視図である。
【図４】図１のレンジフードの一部の構成を示す分解斜視図である。
【図５】図１のレンジフードにおけるスピンナー付近の構成であってナット部材が第１傾斜姿勢（ナット部材と回転軸とが螺合する螺合状態）にある構成を示す断面図である。
【図６】図５に示されるナット部材の構成を示す平面図（Ａ）および断面図（Ｂ）である。
【図７】図５に示されるスピンナーに含まれるレバー部材およびナット部材の構成を示す上方斜視図である。
【図８】図５に示されるナット部材が回転する機構を説明するための断面図である。
【図９】図１のレンジフードにおけるスピンナー付近の構成であってナット部材が第２傾斜姿勢（ナット部材と回転軸との螺合状態が解除された解除状態）にある構成を示す断面図である。
【図１０】図５に示されるスピンナーに含まれるレバー部材、付勢部材および作動部材などの構成を示す下方斜視図である。
【図１１】図５に示されるスピンナーにおけるレバー部材の操作部がスピンナー本体から突き出した第１状態を説明するための断面図である。
【図１２】図５に示されるスピンナーにおけるレバー部材の操作部がスピンナー本体に押し込まれた第２状態を説明するための断面図である。
【発明を実施するための形態】
【００２３】
以下、本発明の実施の形態について図に基づいて説明する。
なお、明細書および図面において、同一の構成要素または対応する構成要素には、同一の符号を付し、重複する説明を繰り返さない。また、図面では、説明の便宜上、構成を省略または簡略化している場合もある。
【００２４】
＜レンジフードの構成＞
まず本発明の一実施の形態におけるレンジフードの構成について図１および図２を用いて説明する。
【００２５】
図１に示されるように、本実施の形態におけるレンジフード１０は、たとえばコンロ（図示せず）の上方に配設されるものである。このレンジフード１０は、本体ハウジング１１、フードケース１２、整流板１３、内装パネル１４などを有している。
【００２６】
本体ハウジング１１は、箱形の形状を有している。本体ハウジング１１の内部には、スピンナー１（取付アダプタ）、ファン部材４などが配置されている。本体ハウジング１１の下端には、フードケース１２が接続されている。フードケース１２の下端には開口が設けられている。
【００２７】
フードケース１２の開口の内側には、整流板１３と内装パネル１４とが装着されている。整流板１３と内装パネル１４との間の隙間は、本体ハウジング１１の内部空間１１ａ（図２）に通じている。
【００２８】
図２に示されるように、本体ハウジング１１の内部空間１１ａには、スピンナー１と、ファン部材４、モータ６、ファンケーシング８などが配置されている。
【００２９】
ファンケーシング８の底面には吸込口８ａが設けられている。ファンケーシング８の内部空間８ｂは、吸込口８ａを通じて、整流板１３と内装パネル１４との間の隙間１５に通じている。またファンケーシング８は、本体ハウジング１１の外方に延出された排気ダクト（図示せず）に接続されている。
【００３０】
ファン部材４は、ファンケーシング８の内部空間８ｂ内であって吸込口８ａの上方に配置されている。ファン部材４は、ベース部材２と、排気用ファン３とを有している。
【００３１】
排気用ファン３は、たとえばシロッコファンである。この排気用ファン３は、複数のファンブレード３ａと、上部支持板３ｂと、下部支持板３ｃとを有している。複数のファンブレード３ａは、周方向に一定のピッチで配置されている。上部支持板３ｂは、複数のファンブレード３ａの各々の上端を支持している。下部支持板３ｃは、複数のファンブレード３ａの各々の下端を支持している。上部支持板３ｂおよび下部支持板３ｃの各々は、円環形状を有している。
【００３２】
ベース部材２は、上部支持板３ｂにおける円環形状の中心に固定されている。ベース部材２は、たとえばボルトなどにより上部支持板３ｂに着脱可能に取り付けられている。
【００３３】
モータ６は、たとえばＡＣ（Alternating  Current）モータである。モータ６は、モータ本体６ａと、回転軸６ｂと、突出部６ｃとを有している。モータ本体６ａは、本体ハウジング１１に固定されている。モータ本体６ａの一部は、ファンケーシング８の内部空間８ｂ内に配置されている。回転軸６ｂは、ファンケーシング８の内部空間８ｂ内においてモータ本体６ａの下端から下方に延びている。突出部６ｃは、回転軸６ｂの外周面から径方向外方に向かって突き出している。
【００３４】
モータ６の回転軸６ｂには、ファン部材４が取り付けられている。ファン部材４に含まれるベース部材２は、モータ６の回転軸６ｂに嵌合する嵌合部２ｄを有している。ファン部材４の嵌合部２ｄがモータ６の突出部６ｃに嵌合することにより、ファン部材４は回転軸６ｂに対して相対回転不能に取り付けられている。
【００３５】
スピンナー１は、モータ６の回転軸６ｂに螺合により取り付けられている。またスピンナー１は、モータ６の回転軸６ｂに対して螺合により着脱可能であるとともに、ワンタッチ操作により着脱可能でもある。スピンナー１は、ファン部材４に対して相対回転可能となるようにファン部材４に取り付けられている。
【００３６】
＜スピンナー、ファン部材およびモータの構成＞
次に、上記スピンナー１、ファン部材４（ベース部材２、排気用ファン３）およびモータ６の詳細な構成について図３〜図１０を用いて説明する。
【００３７】
図３に示されるように、スピンナー１は、排気用ファン３の上部支持板３ｂの下方に配置されている。スピンナー１は、図２に示されるファン部材４をモータ６の回転軸６ｂに着脱するためのものである。
【００３８】
図４に示されるように、ファン部材４に含まれるベース部材２は、円筒部２ａと、円環部２ｂと、フランジ部２ｃと、嵌合部２ｄと、貫通孔２ｅとを有している。
【００３９】
円筒部２ａは、円筒形状を有している。円環部２ｂは、円筒部２ａの下端において円筒部２ａの外周面の全周から外方へ張り出している。円環部２ｂは、排気用ファン３の上部支持板３ｂにボルトなどの固定部材により固定される部分である。
【００４０】
フランジ部２ｃは、円環部２ｂの下端において円環部２ｂの外周面の全周から外方へ張り出している。フランジ部２ｃは、後述する押さえ部材１ｈの内方張り出し部１ｈｂと当接する部分である。
【００４１】
嵌合部２ｄは、円筒部２ａの上端に設けられている。嵌合部２ｄは、複数の凸部と、複数の凹部とにより構成されている。複数の凸部の各々は、円筒部２ａの上端から上方に突き出している。複数の凹部の各々は、凸部の上端から下方に窪んだ部分である。複数の凸部および複数の凹部は、凸部と凹部とが周方向に交互に並ぶように配置されている。この凹部は、回転軸６ｂから突き出した突出部６ｃが嵌め込まれる部分である。本実施の形態では、凸部および凹部は周方向にたとえば４つずつ配置されている。
【００４２】
貫通孔２ｅは、ベース部材２を貫通している。この貫通孔２ｅは、モータ６の回転軸６ｂを挿通可能に構成されている。
【００４３】
スピンナー１は、レバー部材１ａと、レバー用付勢部材１ｂと、作動部材１ｃと、作動用付勢部材１ｄと、スピンナー本体１ｅと、カバー部材１ｆと、ナット部材１ｇと、押さえ部材１ｈとを有している。
【００４４】
スピンナー本体１ｅは、たとえば円形の縁部の全周が同一方向に折り曲げられた椀形状を有している。
【００４５】
レバー部材１ａは、レバー本体１ａａと、操作部１ａｂと、付勢部材保持部１ａｃと、係合凸部１ａｇとを主に有している。レバー本体１ａａには、貫通孔１ａｄが設けられている。またレバー本体１ａａには、ナット作動用凹部１ａｅが設けられている。
【００４６】
操作部１ａｂは、スピンナー１およびファン部材４をレンジフード１０に着脱する作業者が、その着脱作業時に操作する部分である。操作部１ａｂは、レバー本体１ａａの一方側部から側方へ延びている。
【００４７】
付勢部材保持部１ａｃは、レバー本体１ａａの他方側部に設けられている。付勢部材保持部１ａｃが設けられたレバー本体１ａａの他方側部は、操作部１ａｂが取り付けられたレバー本体１ａａの一方側部の反対側に位置している。係合凸部１ａｇは、レバー本体１ａａに設けられており、上方へ突き出している。
【００４８】
レバー用付勢部材１ｂはたとえばバネである。レバー用付勢部材１ｂは、レバー部材１ａの付勢部材保持部１ａｃに取り付けられている。
【００４９】
作動部材１ｃは、作動部本体１ｃａと、爪部１ｃｂとを有している。爪部１ｃｂは、作動部本体１ｃａの側部に設けられ、上方に突き出している。この作動部材１ｃを付勢する作動用付勢部材１ｄはたとえばバネである。
【００５０】
ナット部材１ｇは、ナット部本体１ｇａと、１対の突起部１ｇｂとを有している。ナット部本体１ｇａには、貫通孔１ｇｃが設けられている。この貫通孔１ｇｃは、ナット部本体１ｇａを貫通している。
【００５１】
１対の突起部１ｇｂの各々は、ナット部本体１ｇａの下端から下方に延びている。１対の突起部１ｇｂは、貫通孔１ｇｃを挟むように配置されている。１対の突起部１ｇｂの各々は、レバー部材１ａのナット作動用凹部１ａｅに挿入される部分である。
【００５２】
ナット部本体１ｇａには、１対の凹部１ｇｅが設けられている。１対の凹部１ｇｅの各々は、ナット部本体１ｇａの側部に設けられている。１対の凹部１ｇｅの各々は、側面視においてたとえばＶ字の形状を有している。
【００５３】
１対の凹部１ｇｅの一方は、１対の突起部１ｇｂの一方が配置されたナット部本体１ｇａの一方側部に設けられている。また１対の凹部１ｇｅの他方は、１対の突起部１ｇｂの他方が配置されたナット部本体１ｇａの他方側部に設けられている。
【００５４】
カバー部材１ｆは、カバー部本体１ｆａと、収容部１ｆｂとを有している。カバー部本体１ｆａは、スピンナー本体１ｅに取り付けられる部分である。収容部１ｆｂは、カバー部本体１ｆａの上面に配置されており、内部にナット部材１ｇを収容可能な空間を有している。
【００５５】
押さえ部材１ｈは、円環形状を有しており、中央に貫通孔１ｈｃを有している。貫通孔１ｈｃは、ベース部材２の円筒部２ａおよび円環部２ｂを挿入可能で、かつフランジ部２ｃを挿入不可能に構成されている。具体的には、貫通孔１ｈｃの径は、円環部２ｂの径よりも大きく、かつフランジ部２ｃの径よりも小さい。
【００５６】
押さえ部材１ｈは、本体１ｈａと、内方張り出し部１ｈｂとを有している。本体１ｈａは、円環形状を有している。内方張り出し部１ｈｂは、本体１ｈａの上端において本体１ｈａの内周面から内周側へ張り出している。
【００５７】
内方張り出し部１ｈｂの内周端が上記貫通孔１ｈｃを構成している。このため内方張り出し部１ｈｂの内径は貫通孔１ｈｃの径に等しい。本体１ｈａの内径は、ベース部材２におけるフランジ部２ｃの外径よりも大きい。
【００５８】
図５は、スピンナー１によりファン部材４がモータ６の回転軸６ｂに取り付けられた状態を示している。図５に示されるように、ファン部材４がモータ６の回転軸６ｂに取り付けられた状態においては、ベース部材２の円筒部２ａは上部支持板３ｂの貫通孔３ｂａに挿入されている。このベース部材２の貫通孔２ｅには、回転軸６ｂが挿入されている。また回転軸６ｂの外周側に突き出した突出部６ｃは、ベース部材２の嵌合部２ｄに嵌合している。これによりベース部材２は回転軸６ｂに対して相対回転不能に取り付けられている。
【００５９】
またベース部材２の円環部２ｂには、排気用ファン３の上部支持板３ｂがボルトなどの固定部材（図示せず）により固定されている。これにより回転軸６ｂが回転すると、ベース部材２および排気用ファン３の双方が回転軸６ｂとともに回転する。
【００６０】
椀形状のスピンナー本体１ｅの上部には、カバー部材１ｆがボルトなどの固定部材（図示せず）によって取り付けられている。
【００６１】
スピンナー本体１ｅとカバー部材１ｆとの間の空間には、レバー部材１ａ、レバー用付勢部材１ｂ、作動部材１ｃ、作動用付勢部材１ｄ、およびナット部材１ｇが配置されている。
【００６２】
レバー部材１ａは、図５に示す第１スライド位置と、図９に示す第２スライド位置との間で左右方向にスライド可能である。レバー部材１ａの操作部１ａｂは、スピンナー本体１ｅの外方へ突き出している。レバー部材１ａは、レバー用付勢部材１ｂにより操作部１ａｂがスピンナー本体１ｅから突き出す側（図中右側）へ付勢されている。
【００６３】
作動部材１ｃは、レバー部材１ａの下方に位置している。作動部材１ｃは、作動用付勢部材１ｄによりレバー部材１ａ側に付勢されている。
【００６４】
ナット部材１ｇは、レバー部材１ａの上方に位置している。ナット部材１ｇの貫通孔１ｇｃには回転軸６ｂの雄ネジ部６ｄが挿入されている。ナット部材１ｇの貫通孔１ｇｃの壁面には雌ネジ部が形成されており、この雌ネジ部が回転軸６ｂの雄ネジ部６ｄと噛み合っている。
【００６５】
図６（Ａ）に示されるように、ナット部材１ｇの貫通孔１ｇｃは、ネジ穴ＲＡと、穴部ＲＢとを有している。ネジ穴ＲＡと穴部ＲＢとは、互いに連通している。
【００６６】
図６（Ｂ）に示されるように、ネジ穴ＲＡは一点鎖線Ｌ１に沿って延びている。穴部ＲＢは一点鎖線Ｌ２に沿って延びている。ネジ穴ＲＡが延びる方向（一点鎖線Ｌ１の延びる方向）と穴部ＲＢが延びる方向（一点鎖線Ｌ２が延びる方向）とは互いに傾斜している。
【００６７】
ネジ穴ＲＡには、雌ネジが形成されている。この雌ネジは、互いに分離された上雌ネジ部と、下雌ネジ部とを有している。上雌ネジ部はネジ穴ＲＡの上端に設けられており、下雌ネジ部はネジ穴ＲＡの下端に設けられている。また上雌ネジ部はネジ穴ＲＡの左右方向の一方側（たとえば図中右側）に設けられており、下雌ネジ部はネジ穴ＲＡの左右方向の他方側（たとえば図中左側）に設けられている。ネジ穴ＲＡの雌ネジ部は、回転軸６ｂの雄ネジ部６ｄが噛み合うことが可能なように構成されている。
【００６８】
一方、穴部ＲＢの壁面には、ネジ部は形成されていない。また穴部ＲＢの開口径はネジ穴ＲＡの谷の径よりも大きく、かつ回転軸６ｂの雄ネジ部６ｄの外径よりも大きい。
【００６９】
図７に示されるように、レバー部材１ａのレバー本体１ａａには、１対のナット作動用凹部１ａｅが設けられている。１対のナット作動用凹部１ａｅは、貫通孔１ａｄを挟むように配置されている。この１対のナット作動用凹部１ａｅのそれぞれは、ナット部材１ｇの左右１対の突起部１ｇｂを挿入されるように構成されている。
【００７０】
図８に示されるように、１対のナット作動用凹部１ａｅの各々は、側面視においてＶ字の形状を有している。このＶ字形状のナット作動用凹部１ａｅの内部に、ナット部材１ｇの突起部１ｇｂが挿入されている。
【００７１】
カバー部材１ｆの収容部１ｆｂは、突起部１ｆｃを有している。この突起部１ｆｃは、ナット部材１ｇの凹部１ｇｅに挿入されている。ナット部材１ｇは、側面視において、突起部１ｆｃの先端付近を中心にして回転可能である。
【００７２】
具体的には、レバー部材１ａが左右方向にスライドすることにより、突起部１ｇｂがレバー部材１ａによって左右方向に動かされる。これによりナット部材１ｇが、突起部１ｇｂの下端付近を中心として回転する。
【００７３】
このナット部材１ｇの回転は、図６（Ｂ）に示されるように、回転軸６ｂの軸方向（たとえば一点鎖線Ｌ１の延びる方向）に直交する直交方向を中心Ｃとする回転である。
【００７４】
図８に示されるように、ナット部材１ｇの回転中心Ｃは、突起部１ｆｃの下端が円弧形状の断面を有する場合には、その円弧の曲率中心に対応する。
【００７５】
ナット部材１ｇは、上記の回転により、図５に示す第１傾斜姿勢と、図９に示す第２傾斜姿勢との間で回転可能である。図５に示す第１傾斜姿勢においては、ナット部材１ｇのネジ穴ＲＡに回転軸６ｂの雄ネジ部６ｄが挿入されている。この状態において、回転軸６ｂの雄ネジ部６ｄはネジ穴ＲＡの雌ネジに噛み合っている。
【００７６】
また図９に示す第２傾斜姿勢においては、ナット部材１ｇの穴部ＲＢに回転軸６ｂの雄ネジ部６ｄが挿入されている。この状態において、回転軸６ｂの雄ネジ部６ｄとネジ穴ＲＡの雌ネジとの噛み合いは解除されている。またこの状態において、回転軸６ｂの雄ネジ部６ｄと穴部ＲＢの壁面との間には隙間があり、回転軸６ｂの雄ネジ部６ｄは穴部ＲＢの壁面に干渉していない。
【００７７】
上記のようにレバー部材１ａによって、第１傾斜姿勢と第２傾斜姿勢との間でナット部材１ｇの姿勢を操作することができる。またレバー用付勢部材１ｂは、ナット部材１ｇが上記第１傾斜姿勢となるようにレバー部材１ａを付勢している。
【００７８】
図１０に示されるように、レバー部材１ａの下部には、引っ掛け部１ａｆが設けられている。この引っ掛け部１ａｆは、作動部材１ｃの爪部１ｃｂを引っ掛けるための部分である。爪部１ｃｂがレバー部材１ａに引っ掛けられることにより、ナット部材１ｇが第２傾斜姿勢を維持するように作動部材１ｃがレバー部材１ａをロックすることができる（図１２参照）。つまりナット部材１ｇが第２傾斜姿勢を維持するように作動部材１ｃはレバー部材１ａをロックするように構成されている。
【００７９】
またナット部材１ｇの下部には、係合凸部１ｇｄが設けられている。この係合凸部１ｇｄは、レバー部材１ａの係合凸部１ａｇ（図７）と係合させるための部分である。
【００８０】
図５に示されるように、ナット部材１ｇが第１傾斜姿勢にある状態では、係合凸部１ａｇは、係合凸部１ｇｄと互いに係合する。
【００８１】
図９に示されるように、ナット部材１ｇが第２傾斜姿勢にある状態では、ナット部材１ｇの係合凸部１ｇｄとレバー部材１ａの係合凸部１ａｇとの係合は解除され、係合凸部１ｇｄと係合凸部１ａｇとは互いに係合していない。
【００８２】
レバー部材１ａの係合凸部１ａｇは、図５に示すナット部材１ｇの第１傾斜姿勢から図９に示す第２傾斜姿勢に移行する際に、ナット部材１ｇが回転するための回転力をナット部材１ｇに付与するように構成されている。
【００８３】
図５に示されるように、押さえ部材１ｈの貫通孔１ｈｃにベース部材２の円環部２ｂが挿通されている。これにより押さえ部材１ｈにおける内方張り出し部１ｈｂの下面とベース部材２におけるフランジ部２ｃの上面とが互いに当接している。押さえ部材１ｈの本体１ｈａは、ボルトなどの固定部材によってスピンナー本体１ｅに取り付けられている。
【００８４】
＜スピンナーおよびファン部材の組立方法＞
次に、上記スピンナー１およびファン部材４の組立方法について図４を用いて説明する。
【００８５】
図４に示されるように、スピンナー本体１ｅの内部に、レバー部材１ａ、作動部材１ｃ、付勢部材１ｂ、１ｄおよびナット部材１ｇが配置される。
【００８６】
具体的には、スピンナー本体１ｅの内部に作動用付勢部材１ｄが配置され、その作動用付勢部材１ｄにより作動部材１ｃが上方へ付勢されるように組み付けられる。作動部材１ｃの上にレバー部材１ａが配置される。この際、レバー部材１ａの操作部１ａｂの端部がスピンナー本体１ｅの外部に位置づけられる。このレバー部材１ａは、レバー用付勢部材１ｂにより操作部１ａｂがスピンナー本体１ｅの外部へ突き出す方向に付勢されるように組み付けられる。このレバー部材１ａの上に、ナット部材１ｇが配置される。この際、ナット部材１ｇの突起部１ｇｂはレバー部材１ａの凹部１ｇｅに挿入される。このナット部材１ｇの上に、カバー部材１ｆが配置される。この際、カバー部材１ｆの収容部１ｆｂ内にナット部材１ｇが収容される。この状態でカバー部材１ｆは、スピンナー本体１ｅの上部にたとえばボルトなどの固定部材により固定される。
【００８７】
上記により、レバー部材１ａ、作動部材１ｃ、付勢部材１ｂ、１ｄ、スピンナー本体１ｅ、カバー部材１ｆおよびナット部材１ｇを有する組立体１ａ〜１ｇが組み立てられる。
【００８８】
押さえ部材１ｈの貫通孔１ｈｃに、ベース部材２の円筒部２ａおよび円環部２ｂが挿通される。これにより押さえ部材１ｈの内方張り出し部１ｈｂの下面と、ベース部材２のフランジ部２ｃの上面とが互いに当接する。
【００８９】
押さえ部材１ｈの貫通孔１ｈｃにベース部材２が挿通された状態で、押さえ部材１ｈの本体１ｈａが上記組立体１ａ〜１ｇにボルトなどの固定部材により固定される。これにより押さえ部材１ｈと上記組立体１ａ〜１ｇよりなるスピンナー１が組み立てられる。
【００９０】
ベース部材２は、ベース部材２のフランジ部２ｃが上記組立体１ａ〜１ｇと押さえ部材１ｈとの間で挟み込まれている。これによってベース部材２がスピンナー１から抜け落ちることが防止されている。またスピンナー１はベース部材２に固定されていないため、ベース部材２に対して相対回転可能である。
【００９１】
この後、ベース部材２の円筒部２ａが、上部支持板３ｂの貫通孔３ｂａに挿通される。この円筒部２ａが貫通孔３ｂａに挿通された状態で、上部支持板３ｂがベース部材２の円環部２ｂにボルトなどの固定部材により固定される。これによりベース部材２は上部支持板３ｂに相対回転不能に取り付けられる。
【００９２】
上記のように、スピンナー１およびファン部材４が組み立てられる。
なお図４においては、排気用ファン３の上部支持板３ｂのみが示されており、複数のファンブレード３ａおよび下部支持板３ｃが示されていないが、上記組立の際には上部支持板３ｂには複数のファンブレード３ａおよび下部支持板３ｃが組み付けられている。
【００９３】
＜スピンナーとファン部材との組立体をレンジフードに取り付ける方法＞
次に、上記のように組み立てられたスピンナー１およびファン部材４の組立体をレンジフード１０に取り付ける方法について図１１、図１２などを用いて説明する。
【００９４】
なお図示の簡略化のため、図１１および図１２においては押さえ部材１ｈ、ベース部材２、排気用ファン３などの図示は省略されている。
【００９５】
まずはスピンナー１とファン部材４との組立体をモータ６の回転軸６ｂにワンタッチで取り付ける方法について説明する。
【００９６】
図１１に示される状態では、レバー部材１ａがレバー用付勢部材１ｂにより付勢されることにより、操作部１ａｂがスピンナー本体１ｅの外側に突き出している。またナット部材１ｇは上記第１傾斜姿勢をとっており、ナット部材１ｇの係合凸部１ｇｄとレバー部材１ａの係合凸部１ａｇとが互いに係合している。
【００９７】
スピンナー１とファン部材４との組立体を回転軸６ｂにワンタッチで取り付ける場合には、この状態から操作部１ａｂが、レバー用付勢部材１ｂの付勢力に抗してスピンナー本体１ｅ内に押し込められる。
【００９８】
図８に示されるように、操作部１ａｂがスピンナー本体１ｅ内に押し込められることにより、レバー部材１ａが図中左側へスライド移動する。これによりレバー部材１ａのナット作動用凹部１ａｅがナット部材１ｇの突起部１ｇｂを図中左方向に移動させる。これによりナット部材１ｇがたとえば時計回りに回転する。つまりナット作動用凹部１ａｅが突起部１ｇｂにナット部材１ｇの回転力を付与する。
【００９９】
図１１に示されるように、またレバー部材１ａが図中左側へスライド移動することにより、レバー部材１ａの係合凸部１ａｇもナット部材１ｇの係合凸部１ｇｄを介してナット部材１ｇに回転力を付与する。
【０１００】
図１２に示されるように、上記によりレバー部材１ａは図中左側へスライド移動し、かつナット部材１ｇは第２傾斜姿勢となる。またこの状態では、作動部材１ｃの爪部１ｃｂは、引っ掛け部１ａｆの操作部１ａｂ側の端部に引っ掛けられる。
【０１０１】
この爪部１ｃｂと引っ掛け部１ａｆとの係合により、レバー用付勢部材１ｂに付勢されたレバー部材１ａがレバー用付勢部材１ｂ（図中右側）へスライド移動することが防止される。これによりナット部材１ｇは第２傾斜姿勢を維持する。
【０１０２】
図９に示されるように、レバー部材１ａがレバー用付勢部材１ｂ側へスライド移動し、かつナット部材１ｇが第２傾斜姿勢を維持した状態で、スピンナー１とファン部材４との組立体がレンジフードに取り付けられる。
【０１０３】
具体的には、レバー部材１ａがレバー用付勢部材１ｂ側へスライド移動し、かつナット部材１ｇが第２傾斜姿勢を維持した状態で、ベース部材２の貫通孔２ｅにモータ６の回転軸６ｂが挿入される。これにより回転軸６ｂの雄ネジ部６ｄがナット部材１ｇの貫通孔１ｇｃに挿入される。
【０１０４】
ナット部材１ｇが第２傾斜姿勢にあるため、雄ネジ部６ｄは貫通孔１ｇｃの穴部ＲＢ内に挿入される。この穴部ＲＢは雄ネジ部６ｄの外径よりも大きな開口径を有している。このため雄ネジ部６ｄはナット部材１ｇと干渉することなく、貫通孔１ｇｃ内に挿入され得る。
【０１０５】
さらに回転軸６ｂが挿入されることにより、回転軸６ｂが作動部材１ｃを作動用付勢部材１ｄの付勢力に抗して下方へ押し込む。作動部材１ｃが下方に押し込まれると、爪部１ｃｂと引っ掛け部１ａｆとの係合が解除される。
【０１０６】
これによりレバー部材１ａはレバー用付勢部材１ｂの付勢力により操作部１ａｂがスピンナー本体１ｅの外部へ突き出す方向（図中右側）にスライド移動する。
【０１０７】
レバー部材１ａが上記のようにスライド移動することにより、図５に示されるように、ナット部材１ｇが反時計回りに回転して第１傾斜姿勢となる。これによりナット部材１ｇのネジ穴ＲＡの雌ネジ部が回転軸６ｂの雄ネジ部６ｄに噛み合う。またレバー用付勢部材１ｂの付勢力によりナット部材１ｇの雌ネジ部と回転軸６ｂの雄ネジ部６ｄとの噛み合い状態が維持される。これによりスピンナー１およびファン部材４は、ネジ部の締め上げ無しにワンタッチ操作でモータ６の回転軸６ｂに固定される。
【０１０８】
なおスピンナー１はベース部材２に対して相対回転可能に取り付けられている。このため上記のようにスピンナー１およびファン部材４の組立体が回転軸６ｂに取り付けられた状態において、スピンナー１をベース部材２および回転軸６ｂに対して相対的に回転させることができる。これにより、ナット部材１ｇの雌ネジ部と回転軸６ｂの雄ネジ部６ｄとの噛み合いがさらに締め上げられてもよい。
【０１０９】
また回転軸６ｂから突き出た突出部６ｃとファン部材４の嵌合部２ｄとが互いに嵌合することにより、ファン部材４は回転軸６ｂに対して相対回転不能に取り付けられている。このため回転軸６ｂがモータ本体６ａから駆動力を受けて回転すると、ファン部材４は回転軸６ｂとともに回転する。
【０１１０】
なおスピンナー１およびファン部材４を回転軸６ｂからワンタッチ操作で取り外す際には、図５に示される状態から、レバー部材１ａの操作部１ａｂがスピンナー本体１ｅの内部へ押し込まれるように操作される。この押し込み操作により、図９に示されるように、レバー部材１ａがレバー用付勢部材１ｂ側（図中左側）にスライド移動する。これによりナット部材１ｇが第２傾斜姿勢となって、ナット部材１ｇの雌ネジ部と回転軸６ｂの雄ネジ部６ｄとの噛み合い状態が解除される。このためスピンナー１をベース部材２および回転軸６ｂに対して相対的に回転させることなく、レバー部材１ａの操作部１ａｂを押し込むようにスライド操作しながらスピンナー１およびファン部材４を回転軸６ｂから引き抜くというワンタッチ操作で、スピンナー１およびファン部材４を回転軸６ｂから取り外すことができる。
【０１１１】
次に、スピンナー１とファン部材４との組立体をモータ６の回転軸６ｂに螺合により取り付ける方法について説明する。
【０１１２】
図１１に示される状態では、上記のとおりナット部材１ｇは上記第１傾斜姿勢をとっている。このためスピンナー１とファン部材４との組立体をモータ６の回転軸６ｂに螺合により取り付ける場合には、この状態で、ベース部材２の貫通孔２ｅにモータ６の回転軸６ｂが挿入される。
【０１１３】
図５に示されるように、回転軸６ｂにおける雄ネジ部６ｄの先端がナット部材１ｇに達した時点から、回転軸６ｂに対してスピンナー１が相対的に回転される。この回転によりナット部材１ｇの雌ネジ部が回転軸６ｂの雄ネジ部６ｄにねじ込まれる。これによりスピンナー１とファン部材４との組立体をモータ６の回転軸６ｂに螺合により取り付けることができる。
【０１１４】
またスピンナー１およびファン部材４を回転軸６ｂから螺合により取り外す際には、図５に示される状態から、スピンナー１がベース部材２および回転軸６ｂに対して相対的に回転される。ナット部材１ｇの雌ネジ部と回転軸６ｂの雄ネジ部６ｄとの螺合状態が解除されるまでスピンナー１が回転軸６ｂなどに対して回転されることにより、スピンナー１およびファン部材４を回転軸６ｂから取り外すことができる。
【０１１５】
＜作用効果＞
次に、本実施の形態におけるスピンナー１（取付アダプタ）およびレンジフード１０の効果について説明する。
【０１１６】
本実施の形態によれば、ナット部材１ｇは、第１傾斜姿勢（図５）と第２傾斜姿勢（図９）との間で回転可能で、第１傾斜姿勢において回転軸６ｂの雄ネジ部６ｄと噛み合う雌ネジ部（ネジ穴ＲＡ）と、第２傾斜姿勢において雄ネジ部６ｄと雌ネジ部との噛み合いが解除されるように回転軸６ｂを挿通する穴部ＲＢとを有している。このためレバー部材１ａでナット部材１ｇの姿勢を第１傾斜姿勢に操作することにより、スピンナー１を回転軸６ｂの雄ネジ部６ｄに螺合により着脱することが可能となる。またレバー部材１ａでナット部材１ｇの姿勢を第２傾斜姿勢に操作することにより、回転軸６ｂの雄ネジ部６ｄとナット部材１ｇの雌ネジ部（ネジ穴ＲＡ）との係合を解除した状態でスピンナー１を回転軸６ｂに着脱することが可能となる。上記のようにレバー部材１ａが油汚れ、錆などにより他の部材（たとえばスピンナー本体１ｅ）と固着した場合でも、レバー部材１ａを操作せずに、スピンナー１を螺合により回転軸６ｂに対して着脱することができる。よって油汚れ、錆などによる固着が生じてもファンの着脱が容易である。
【０１１７】
また本実施の形態によれば図６（Ａ）、（Ｂ）に示されるように、ナット部材１ｇは、雌ネジ部が形成されたネジ穴ＲＡを有している。ネジ穴ＲＡと穴部ＲＢとは互いに連通している。ネジ穴ＲＡが延びる方向（一点鎖線Ｌ１の延びる方向）と穴部ＲＢの延びる方向（一点鎖線Ｌ２の延びる方向）とが互いに傾斜している。これによりナット部材１ｇを回転させることで、回転軸６ｂの雄ネジ部６ｄを、ナット部材１ｇが第１傾斜姿勢にあるときにはネジ穴ＲＡに挿通し、かつ第２傾斜姿勢にあるときには穴部ＲＢに挿通することが可能となる。これにより上記のような螺合による着脱およびワンタッチでの着脱が可能となる。
【０１１８】
また本実施の形態によれば図６（Ｂ）に示されるように、ナット部材１ｇは、回転軸６ｂの軸方向（たとえば一点鎖線Ｌ１の延びる方向）に直交する直交方向を中心Ｃとして回転することにより第１傾斜姿勢と第２傾斜姿勢との間で回転する。図８に示されるように、ナット部材１ｇは、突起部１ｇｂを有しており、レバー部材１ａは突起部１ｇｂを移動させることによりナット部材１ｇを直交方向を中心Ｃとして回転させる。このように突起部１ｇｂをレバー部材１ａで移動させることによりナット部材１ｇの上記直交方向を中心Ｃとした回転操作が容易となる。
【０１１９】
また本実施の形態によれば図５に示されるように、レバー部材１ａは、係合凸部１ａｇを有している。係合凸部１ａｇは、ナット部材１ｇが第１傾斜姿勢から第２傾斜姿勢に移行する際に、ナット部材１ｇが上記直交方向を中心Ｃ（図８）として回転するための回転力をナット部材１ｇに付与するように構成されている。これにより、ナット部材１ｇを第１傾斜姿勢から第２傾斜姿勢へ移行させるための操作力を効果的にナット部材１ｇに伝えることができる。
【０１２０】
また本実施の形態によれば図１２に示されるように、ナット部材１ｇが第２傾斜姿勢を維持するように作動部材１ｃはレバー部材１ａをロックする。これによりナット部材１ｇを第２傾斜姿勢で保持することができる。よってナット部材１ｇが第２傾斜姿勢にある状態で回転軸６ｂをナット部材１ｇの穴部ＲＢに挿入する操作が容易となる。
【０１２１】
また本実施の形態によれば図１２に示されるように、作動部材１ｃは、レバー部材１ａに引っ掛ける爪部１ｃｂを有している。爪部１ｃｂがレバー部材１ａに引っ掛けられることにより、ナット部材１ｇが第２傾斜姿勢を維持するように作動部材１ｃがレバー部材１ａをロックする。これにより作動部材１ｃの爪部１ｃｂをレバー部材１ａに引っ掛けるという簡易な構成で、ナット部材１ｇが第２傾斜姿勢を維持するように作動部材１ｃによってレバー部材１ａをロックすることが可能となる。
【０１２２】
上記実施の形態においては、排気用ファン３を回転させる駆動源としてモータ６について説明したが、駆動源はモータ６に限定されず、排気用ファン３を回転可能なものであればよい。
【０１２３】
また上記実施の形態においては、図５に示されるように、回転軸６ｂとスピンナー１とは、回転軸６ｂの回転方向に対して回転軸６ｂとスピンナー１との螺合が締まるように構成されている。具体的には回転軸６ｂの雄ネジ部６ｄが回転軸６ｂの回転方向に対して逆ネジとなっている。これにより回転軸６ｂの回転により回転軸６ｂとスピンナー１とが強固に締結されることになる。
【０１２４】
また上記実施の形態においては、スピンナー１がファン部材４に相対回転可能に取り付けられた構成について説明したが、スピンナー１はファン部材４と別体であってもよい。
【０１２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２６】
１  スピンナー、１ａ  レバー部材、１ａａ  レバー本体、１ａｂ  操作部、１ａｃ  付勢部材保持部、１ａｄ，１ｇｃ，１ｈｃ，２ｅ，３ｂａ  貫通孔、１ａｅ  ナット作動用凹部、１ａｆ  引っ掛け部、１ｂ  レバー用付勢部材、１ｆｃ，１ｇｂ  突起部、１ｃ  作動部材、１ｃａ  作動部本体、１ｃｂ  爪部、１ｄ  作動用付勢部材、１ｅ  スピンナー本体、１ｆ  カバー部材、１ｆａ  カバー部本体、１ｆｂ  収容部、１ｇ  ナット部材、１ｇａ  ナット部本体、１ｇｄ  係合凸部、１ｇｅ  凹部、１ｈ  押さえ部材、１ｈａ  本体、１ｈｂ  内方張り出し部、２  ベース部材、２ａ  円筒部、２ｂ  円環部、２ｃ  フランジ部、２ｄ  嵌合部、３  排気用ファン、３ａ  ファンブレード、３ｂ  上部支持板、３ｃ  下部支持板、４  ファン部材、６  モータ、６ａ  モータ本体、６ｂ  回転軸、６ｃ  突出部、６ｄ  雄ネジ部、８  ファンケーシング、８ａ  吸込口、８ｂ，１１ａ  内部空間、１０  レンジフード、１１  本体ハウジング、１２  フードケース、１３  整流板、１４  内装パネル、１５  隙間、Ｃ  中心、ＲＡ  ネジ穴、ＲＢ  穴部。
【図１】
2020105934.tif 000003
【図２】
2020105934.tif 000004
【図３】
2020105934.tif 000005
【図４】
2020105934.tif 000006
【図５】
2020105934.tif 000007
【図６】
2020105934.tif 000008
【図７】
2020105934.tif 000009
【図８】
2020105934.tif 000010
【図９】
2020105934.tif 000011
【図１０】
2020105934.tif 000012
【図１１】
2020105934.tif 000013
【図１２】
2020105934.tif 000014